(57)【要約】本実施例は、フロントボディー、レンズ、リアボディー、第１基板、イメージセンサー、第２基板、コネクター及びカバーを含み、カバーは、コネクターが配置されるホールを含む底板と、底板に延びる側板と、底板に配置されてコネクターを弾性的に支持する加圧ユニットを含み、コネクターは、カバーの底板の内面と対向する第１面と、第１面から延びてホールに配置される第２面を含み、加圧ユニットは、コネクターの第１面を加圧する第１加圧部と、コネクターの第２面を加圧する第２加圧部を含むカメラモジュールに関するものである。【選択図】図１
2020525840.tif 000002
【特許請求の範囲】
【請求項１】
フロントボディーと、
前記フロントボディーに配置されるレンズと、
前記フロントボディーに結合するリアボディーと、
前記フロントボディーと前記リアボディーとの間の内部空間に配置される第１基板と、
前記第１基板に配置されるイメージセンサーと、
前記内部空間に前記第１基板と離隔するように配置されて前記第１基板に電気的に連結される第２基板と、
前記第２基板に結合するコネクターと、
前記リアボディー内に固定されるカバーと、を含み、
前記カバーは、前記コネクターが配置されるホールを含む底板と、前記底板に延びる側板と、前記底板に配置されて前記コネクターを弾性的に支持する加圧ユニットを含み、
前記コネクターは、前記カバーの底板の内面と対向する第１面と、前記第１面から延びて前記ホールに配置される第２面を含み、
前記加圧ユニットは、前記コネクターの第１面を加圧する第１加圧部と、前記コネクターの第２面を加圧する第２加圧部を含む、カメラモジュール。
【請求項２】
前記フロントボディーは、前記リアボディーと対向する第１面と、前記第１面から突出して互いに離隔する第１突出部と第２突出部を含み、
前記第１突出部は、前記第２突出部より光軸に近くなるよう前記第２突出部の内側に配置されて、
前記第１突出部は、前記第１基板と結合して、前記第２突出部は、前記リアボディーと結合して、
前記フロントボディーは、前記第１突出部と前記第２突出部との間で前記第１突出部と前記第２突出部を連結して互いに離隔する複数のリーブをさらに含む、請求項１に記載のカメラモジュール。
【請求項３】
前記カメラモジュールは、前記リアボディーの外面に結合するブラケットを含み、
前記リアボディーの外面は、前記フロントボディーの反対側に配置される第１面と、前記第１面と前記フロントボディーを連結する第２面を含み、
前記リアボディーは、前記第２面に配置される突起を含み、
前記ブラケットは、前記リアボディーの第１面と対向する底部と、前記底部に配置されて前記リアボディーの第１面を加圧する加圧部と、前記リアボディーの第２面に配置される側部と、前記側部に配置されて前記突起に係止するフックを含む、請求項１に記載のカメラモジュール。
【請求項４】
前記カメラモジュールは、前記第１基板と前記第２基板が結合するシールド部材を含み、
前記シールド部材は、前記第１基板に結合する本体部と、前記本体部から延びる延長部と、前記延長部に配置されるホールを含み、
前記第２基板は、少なくとも一部が前記ホールに配置される突起を含み、
前記突起は、前記ホールに配置されて前記延長部と対向する四つの面を含み、
前記突起の四つの面中少なくとも一つの面は、前記延長部と離隔する、請求項１に記載のカメラモジュール。
【請求項５】
前記加圧ユニットは、前記底板から内側に傾斜するように延びる第１延長部と、前記第１延長部から延びて前記コネクターの第１面と接触する第１接触部と、前記第１接触部から前記ホールに向かって傾斜するように延びる第２延長部を含む、請求項１に記載のカメラモジュール。
【請求項６】
前記加圧ユニットは、前記第２延長部から延びて前記コネクターの第２面と接触する第２接触部と、前記第２接触部から外側に傾斜するように延びる第３延長部をさらに含む、請求項５に記載のカメラモジュール。
【請求項７】
前記加圧ユニットは、互いに離隔する四つの加圧片を含み、
前記四つの加圧片は、前記コネクターの第２面の周りに等間隔に配置される、請求項１に記載のカメラモジュール。
【請求項８】
前記加圧ユニットは、互いに離隔する複数の加圧片を含み、
前記複数の加圧片中一部は、前記第１加圧部で形成されて、前記複数の加圧片中残りの一部は、前記第２加圧部で形成される、請求項１に記載のカメラモジュール。
【請求項９】
前記カバーと前記コネクターの外面は、グラウンドされる、請求項１に記載のカメラモジュール。
【請求項１０】
レンズを含むフロントボディーアセンブリーと、
前記フロントボディーアセンブリーと結合するリアボディーと、
前記フロントボディーアセンブリーと前記リアボディーとの間の内部空間に配置される第１基板と、
前記内部空間に前記第１基板と離隔するように配置されて前記第１基板に電気的に連結される第２基板と、
前記リアボディーと前記第２基板に固定されるコネクターと、
前記リアボディー内に固定されるカバーと、を含み、
前記カバーは、前記コネクターが配置されるホールを含む底板と、前記底板に延びる側板と、前記底板に配置されて前記コネクターを弾性的に支持する加圧ユニットを含み、
前記加圧ユニットは、前記コネクターを第１方向に加圧する第１加圧部と、前記コネクターを前記第１方向と異なる第２方向に加圧する第２加圧部を含む、カメラモジュール。
【発明の詳細な説明】
【技術分野】
【０００１】
本実施例はカメラモジュールに関するものである。
【背景技術】
【０００２】
以下で記述される内容は、本実施例に対する背景情報を提供するだけであって従来技術を記載したのではない。
【０００３】
被写体を写真や動画で撮影するカメラモジュールは、様々な機器及び装置に取り付けることができる。特に、カメラモジュールが取り付けられた自動車が発売されている。カメラモジュールは自動車において前方及び後方監視カメラ、ブラックボックスなどで用いられている。
【０００４】
ところで、車両に取り付けられるカメラモジュールの場合、車両にカメラモジュールを取り付けるための構造が求められる。
【０００５】
さらに、車両に取り付けられるカメラモジュールの場合、少なくとも一部が車両の外部に露出するためカメラモジュールの外部の異物がカメラモジュールの内部に侵入できないように部品間の組み立て時堅固なシーリングが求められる。
【０００６】
さらに、車両に取り付けられるカメラモジュールの場合、内部に複数の基板が配置されるが、カメラモジュールの内部において複数の基板を離隔した状態で固定できる構造が求められる。
【０００７】
さらに、車両に取り付けられるカメラモジュールの場合、内部から発生する電磁気波を遮蔽して基板から延びるコネクターを固定できる構造が求められる。
【発明の概要】
【発明が解決しようとする課題】
【０００８】
本実施例は、カメラモジュールを車両に取り付けるための結合構造（ブラケット）を含むカメラモジュールを提供しようとする。
【０００９】
本実施例は、堅固なシーリング構造で結合するカメラモジュールを提供しようとする。
【００１０】
本実施例は、複数の基板を離隔した状態で支持する構造を含むカメラモジュールを提供しようとする。
【００１１】
本実施例は内部から発生する電磁気波を遮蔽して基板から延びるコネクターを固定するカバーを含むカメラモジュールを提供しようとする。
【課題を解決するための手段】
【００１２】
本実施例は、フロントボディー、前記フロントボディーに配置されるレンズ、前記フロントボディーに結合するリアボディー、前記フロントボディーと前記リアボディーとの間の内部空間に配置される第１基板、前記第１基板に配置されるイメージセンサー、前記内部空間に前記第１基板と離隔するように配置されて前記第１基板に電気的に連結される第２基板、及び前記リアボディーの外面に結合するブラケットを含み、前記リアボディーの外面は、前記フロントボディーの反対側に配置される第１面と、前記第１面と前記フロントボディーを連結する第２面を含み、前記リアボディーは、前記第２面に配置される突起を含み、前記ブラケットは、前記リアボディーの第１面と対向する底部と、前記底部に配置されて前記リアボディーの第１面を加圧する加圧部と、前記リアボディーの第２面に配置される側部と、前記側部に配置されて前記突起に係止するフックを含むことができる。
【００１３】
前記加圧部は、第１方向に配置される第１加圧部と、前記第１方向と異なる第２方向に配置される第２加圧部を含むことができる。
【００１４】
前記第１方向は、前記第２方向と垂直であり得る。
【００１５】
前記突起は、前記リアボディーの第２面に互いに離隔して配置される第１突起と第２突起を含み、前記フックは前記第１突起に係止する第１フックと、前記第２突起に係止する第２フックを含み、前記リアボディーは、前記第２面に前記第１フックと前記第２フックとの間に配置されるリーブをさらに備え、前記リーブの幅は、前記第１フックと前記第２フックとの間の離隔距離と対応することができる。
【００１６】
前記リアボディーの外面は、前記第２面の反対側に配置される第３面をさらに備え、前記突起は、前記リアボディーの第２面に配置される第１突起と、前記リアボディーの第３面に配置される第２突起を含み、前記フックは前記第１突起に係止する第１フックと、前記第２突起に係止する第２フックを含むことができる。
【００１７】
前記リアボディーの外面は、前記第２面と前記第３面との間に配置されて互いに反対側に配置される第４面と第５面を含み、前記ブラケットの前記側部は、前記第４面と前記第５面の各々に配置されてホールを含む結合部を含むことができる。
【００１８】
前記突起は、前記フックが係止する第６面と、前記第６面と前記リアボディーの前記第２面を連結する第７面を含み、前記第７面は、前記突起の第６面と前記リアボディーの第２面を傾斜するように連結することができる。
【００１９】
前記加圧部は、前記底部と一体で形成されて、前記加圧部は、前記底部から前記リアボディーの第１面に向かって延びる第１延長部と、前記第１延長部から延びて前記リアボディーの第１面と接触する接触部と、前記接触部から前記リアボディーの第１面と遠ざかる方向に延びる第２延長部を含むことができる。
【００２０】
前記カメラモジュールは、前記第２基板から延びて前記リアボディーを通過するコネクターをさらに含み、前記ブラケットの前記底部は、前記コネクターが通過するホールを含むことができる。
【００２１】
本実施例に係るカメラモジュールは、レンズを含むフロントボディーアセンブリー、前記フロントボディーアセンブリーと結合するリアボディー、前記フロントボディーアセンブリーと前記リアボディーとの間の内部空間に配置される第１基板、前記内部空間に前記第１基板と離隔するように配置されて前記第１基板に電気的に連結される第２基板、及び前記リアボディーの外部に結合するブラケットを含み、前記リアボディーは、前記リアボディーの外側面に配置されて互いに反対側に配置される第１突起と第２突起を含み、前記ブラケットは、前記リアボディーの後面と対向する底部と、前記底部に配置されて前記リアボディーの後面を前方に加圧する加圧部と、前記底部から延びて前記第１突起と前記第２突起の各々に係止するフックを含むことができる。
【００２２】
本実施例に係るカメラモジュールは、フロントボディー、前記フロントボディーに配置されるバレル、前記バレルに配置されるレンズ、前記フロントボディーと結合するリアボディー、前記フロントボディーと前記リアボディーとの間の内部空間に配置される基板、及び前記基板に配置されるイメージセンサーを含み、前記フロントボディーは、前記リアボディーと対向する第１面と、前記第１面から突出して互いに離隔する第１突出部と第２突出部を含み、前記第１突出部は、前記第２突出部よりも光軸に近くなるよう前記第２突出部の内側に配置されて、前記第１突出部は、前記基板と結合されて、前記第２突出部は、前記リアボディーと結合されて、前記フロントボディーは、前記第１突出部と前記第２突出部との間で前記第１突出部と前記第２突出部を連結して互いに離隔する複数のリーブをさらに含むことができる。
【００２３】
前記第２突出部は、前記フロントボディーの前記第１面の外周から離隔して、前記リアボディーは、前記フロントボディーと離隔する底部と、前記底部から前記フロントボディーに向かって延びる側部を含み、前記リアボディーの側部は、前記フロントボディーと対向する第２面と、前記第２面から突出して前記第２突出部と前記フロントボディーの前記第１面の前記外周との間に対応する位置に配置される第３突出部と、前記第３突出部の内面と前記第２面を傾斜するように連結する第４突出部を含み、前記フロントボディーと前記リアボディーは、前記第２突出部と前記第４突出部が融着されて結合することができる。
【００２４】
前記フロントボディーの前記第２突出部と前記リアボディーの前記第４突出部は、超音波融着にて一体化することができる。
【００２５】
前記第１突出部の末端と前記第１面との間の距離は、前記第２突出部の末端と前記第１面との間の距離より長く、前記リーブは、前記フロントボディーの前記第１面から延びて、前記リーブは、前記第１突出部側から前記リーブの末端と前記第１面との間の距離が前記第２突出部側から前記リーブの末端と前記第１面との間の距離より長くなる傾斜する傾斜面を含むことができる。
【００２６】
前記基板は、前記フロントボディーと対向する第３面を含み、前記第１突出部の末端面は、前記基板の前記第３面と接着剤によって固定されることができる。
【００２７】
前記第１突出部の前記末端面の外周の大きさは、前記基板の前記第３面の外周の大きさより小さくてよい。
【００２８】
前記リアボディーは、前記第３突出部の外周面に配置されて前記第３突出部の末端に延びる溝を含むことができる。
【００２９】
前記レンズ、前記バレル及び前記フロントボディーは、一体で形成されることができる。
【００３０】
前記第１突出部と前記第２突出部は各々断面が単一閉曲線形状を持つように前記第１面から延びることができる。
【００３１】
本実施例に係るカメラモジュールは、フロントボディーと、前記フロントボディーに配置されるバレルと、前記バレルに配置されるレンズを含むフロントボディーアセンブリー、前記フロントボディーアセンブリーと結合するリアボディー、前記フロントボディーアセンブリーと前記リアボディーとの間の内部空間に配置される基板、及び前記基板に配置されるイメージセンサーを含み、前記フロントボディーアセンブリーは、前記リアボディーと対向する第１面と、前記第１面から突出して互いに離隔する第１突出部と第２突出部と、前記第１突出部と前記第２突出部を連結するリーブを含み、前記第１突出部は、前記第２突出部より光軸に近くなるよう前記第２突出部の内側に配置されて、前記第１突出部は前記基板と結合されて、前記第２突出部は、前記リアボディーと結合されて、前記リーブは、複数で備えられて離隔して、複数のリーブの間には複数の離隔空間が形成されることができる。
【００３２】
本実施例に係るカメラモジュールは、フロントボディー、前記フロントボディーに配置されるレンズ、前記フロントボディーに結合するリアボディー、前記フロントボディーと  前記リアボディーとの間の内部空間に配置されて、前記レンズと対応する領域に配置されたイメージセンサーを含む第１基板、前記内部空間に前記第１基板と離隔するように配置されて前記第１基板に電気的に連結される第２基板、前記リアボディーを貫いて前記第２基板に結合するコネクター、及び前記第１基板と前記第２基板が結合するシールド部材を含み、前記シールド部材は、前記第１基板に結合する本体部と、前記本体部から延びる延長部と、前記延長部に配置されるホールを含み、前記第２基板は、少なくとも一部が前記ホールに配置される突起を含み、前記突起は、前記ホールに配置されて前記延長部と対向する四つの面を含み、前記突起の四つの面の少なくとも一つの面は前記延長部と離隔することができる。
【００３３】
前記突起の四つの面の少なくとも二つの面は、前記延長部と離隔することができる。
【００３４】
前記突起は、前記第２基板の第１面に配置される第１突起と、前記第１面の反対側に配置される前記第２基板の第２面に配置される第２突起を含み、前記第２基板は、前記第２基板の外周に前記第１突起の両側に配置される第１溝と、前記第２基板の外周に前記第２突起の両側に配置される第２溝をさらに含み、前記延長部は、前記第１溝に配置される第１延長部と、前記第２溝に配置される第２延長部を含み、前記第１延長部の内面と前記第２延長部の内面中少なくとも一つは、前記第２基板と離隔することができる。
【００３５】
前記カメラモジュールは、前記リアボディーの内面に固定されるカバーをさらに含み、前記カバーは、前記コネクターが通過するホールを含む底板と、前記底板から延びる側板を含み、前記カバーの前記底板は、前記コネクターを弾性的に支持する加圧ユニットを含むことができる。
【００３６】
前記第１基板は、前記第２基板と対向する第３面を含み、前記シールド部材は、前記第１基板の第３面に結合する突起を含むことができる。
【００３７】
前記シールド部材は、前記延長部から外側に傾斜するように延びる第１傾斜部と、前記第１傾斜部から内側に傾斜するように延びる第２傾斜部をさらに含むことができる。
【００３８】
前記本体部は、四つで備えられて離隔して、前記シールド部材は、四つの本体部を連結する四つの連結部をさらに含むことができる。
【００３９】
前記第２基板は、三つの突起を含み、前記シールド部材は、前記三つの突起と各々結合する三つの延長部を含むことができる。
【００４０】
前記延長部は、前記シールド部材の第４面から延びて、前記シールド部材の四つの本体部のうち三つの本体部には各々延長部が配置されて、残りの一つの本体部には切開部が配置されて、前記切開部は、前記第４面よりも陥没して、前記切開部と前記第４面との間には溝が配置されることができる。
【００４１】
本実施例に係るカメラモジュールは、レンズを含むフロントボディーアセンブリー、前記フロントボディーアセンブリーと結合するリアボディー、前記フロントボディーアセンブリーと前記リアボディーとの間の内部空間であって、前記レンズと対応する領域に配置されたイメージセンサーを含む第１基板、前記内部空間に前記第１基板と離隔するように配置されて前記第１基板に電気的に連結される第２基板、前記リアボディーを貫いて前記第２基板に固定されるコネクター、及び前記第１基板と前記第２基板が結合するシールド部材を含み、前記シールド部材は、前記第１基板に結合する本体部と、前記本体部から延びて前記第２基板と結合する結合部を含み、前記第２基板は、前記第２基板の第１面に配置される第１溝と、前記第１面の反対側に配置される前記第２基板の第２面に配置される第２溝をさらに含み、前記結合部は、前記第２基板と対向する第３面を含み、前記第１溝に配置される第１結合部と、前記第２基板と対向する第４面を含んで前記第２溝に配置される第２結合部を含み、前記第１結合部の第３面と前記第２結合部の第４面中少なくとも一つは、前記第２基板と離隔することができる。
【００４２】
本実施例に係るカメラモジュールは、フロントボディー、前記フロントボディーに配置されるレンズ、前記フロントボディーに結合するリアボディー、前記フロントボディーと前記リアボディーとの間の内部空間に配置される第１基板、前記第１基板に配置されるイメージセンサー；
【００４３】
前記内部空間に前記第１基板と離隔するように配置されて前記第１基板に電気的に連結される第２基板、前記第２基板に結合するコネクター、及び前記リアボディーの中に固定されるカバーを含み、前記カバーは、前記コネクターが配置されるホールを含む底板と、前記底板に延びる側板と、前記底板に配置されて前記コネクターを弾性的に支持する加圧ユニットを含み、前記コネクターは、前記カバーの底板の内面と対向する第１面と、前記第１面から延びて前記ホールに配置される第２面を含み、前記加圧ユニットは前記コネクターの第１面を加圧する第１加圧部と、前記コネクターの２面を加圧する第２加圧部を含むことができる。
【００４４】
前記第１加圧部と前記第２加圧部は、前記底板と一体で形成されることができる。
【００４５】
前記加圧ユニットは、前記底板から内側に傾斜するように延びる第１延長部と、前記第１延長部から延びて前記コネクターの第１面と接触する第１接触部と、前記第１接触部から前記ホールに向かって傾斜するように延びる第２延長部を含むことができる。
【００４６】
前記加圧ユニットは、前記第２延長部から延びて前記コネクターの第２面と接触する第２接触部と、前記第２接触部から外側に傾斜するように延びる第３延長部をさらに含むことができる。
【００４７】
前記側板の末端は、前記レンズの光軸に垂直した方向に前記第１基板とオーバーラップされることができる。
【００４８】
前記加圧ユニットは、互いに離隔する四つの加圧片を含み、前記四つの加圧片は、前記コネクターの第２面の周りに等間隔で配置されることができる。
【００４９】
前記加圧ユニットは、互いに離隔する複数の加圧片を含み、前記複数の加圧片中一部は、前記第１加圧部として形成されて、前記複数の加圧片中残りの一部は、前記第２加圧部として形成されることができる。
【００５０】
前記カメラモジュールは、前記第１基板と前記第２基板に結合するシールド部材をさらに含み、前記シールド部材は、前記第１基板に結合する本体部と、前記本体部から延びて前記第２基板と結合する結合部を含み、前記結合部は、前記カバーの前記側板と接触することができる。
【００５１】
前記カバーと前記コネクターの外面は、グラウンドされることができる。
【００５２】
本実施例に係るカメラモジュールは、レンズを含むフロントボディーアセンブリー、前記フロントボディーアセンブリーと結合するリアボディー、前記フロントボディーアセンブリーと前記リアボディーとの間の内部空間に配置される第１基板、前記内部空間に前記第１基板と離隔するように配置されて前記第１基板に電気的に連結される第２基板、前記リアボディーと前記第２基板に固定されるコネクター、及び前記リアボディーの中に固定されるカバーを含み、前記カバーは、前記コネクターが配置されるホールを含む底板と、前記底板から延びる側板と、前記底板に配置されて前記コネクターを弾性的に支持する加圧ユニットを含み、前記加圧ユニットは、前記コネクターを第１方向に加圧する第１加圧部と、前記コネクターを前記第１方向と異なる第２方向に加圧する第２加圧部を含むことができる。
【発明の効果】
【００５３】
本実施例により、カメラモジュールのリアボディーとブラケットの組み立てが容易になるので生産収率向上に寄与することができる。
【００５４】
本実施例により、カメラモジュールの外部の異物と水分がカメラモジュールの内部に浸透する現象が防止される。
【００５５】
本実施例により、複数の基板の支持構造が提供されるのでカメラモジュールの小型化に寄与することができる。
【００５６】
本実施例により、比較的単純な構造のカバーによって電磁気波遮断及びコネクター固定を行って製造原価節減を期待することができる。
【図面の簡単な説明】
【００５７】
【図１】本実施例に係るカメラモジュールの斜視図である。
【図２】図１と異なる方向から見た実施例に係るカメラモジュールの斜視図である。
【図３】本実施例に係るカメラモジュールの分解斜視図である。
【図４】本実施例に係るカメラモジュールの一部構成の分解斜視図である。
【図５】本実施例に係るカメラモジュールのリアボディーの斜視図と一部拡大図である。
【図６】本実施例に係るカメラモジュールの一部構成の斜視図である。
【図７】本実施例に係るカメラモジュールの一部構成の斜視図と一部拡大図である。
【図８】本実施例に係るカメラモジュールの一部構成の組み立て過程中の状態を図示する斜視図である。
【図９】本実施例に係るカメラモジュールの一部構成の斜視図である。
【図１０】本実施例に係るカメラモジュールの一部構成の斜視図である。
【図１１】本実施例に係るカメラモジュールのシールド部材の展開図である。
【図１２】本実施例に係るカメラモジュールのシールド部材の組み立て過程中の状態を図示する斜視図である。
【図１３】本実施例に係るカメラモジュールのシールド部材の一部を図示した斜視図である。より詳細には、図１３（ａ）は、本実施例（第１実施例）に係るシールド部材のバーと関連構成を図示したもので、図１３（ｂ）は、変形例（第２実施例）に係るシールド部材のバーと関連構成を図示したもので、図１３（ｃ）は、本実施例（第１実施例）においてシールド部材のバーを除去した状態を図示したものである。
【図１４】本実施例に係るカメラモジュールの断面図である。
【図１５】本実施例に係るカメラモジュールの一部構成の断面斜視図である。
【図１６】本実施例に係るカメラモジュールの一部構成の断面斜視図である。
【図１７】本実施例に係るカメラモジュールの斜視図である。
【図１８】本実施例に係るカメラモジュールの一部構成の斜視図である。
【図１９】本実施例に係るシールド部材の製造過程中の展開図である。
【図２０】本実施例に係るカバーの斜視図である。
【発明を実施するための形態】
【００５８】
以下、説明の便宜のために本発明の一部の実施例を例示的な図面に基づいて説明する。但し、本発明の技術思想は、説明される一部実施例に限定されない。
【００５９】
また、本発明の実施例の構成要素を説明するにあたり、第１、第２、Ａ、Ｂ、（ａ）、（ｂ）等の用語を使うことができる。このような用語は、その構成要素を別の構成要素と区別するためのものだけであって、その用語によって該当構成要素の本質や順番または順序などが限定されない。
【００６０】
ある構成要素が別の構成要素に‘連結’または‘結合’すると記載された場合、その構成要素は、その別構成要素に直接的に連結または結合することができるが、その構成要素とその別構成要素との間にさらに別の構成要素が‘連結’または‘連結’してもよいと理解されなければならない。
【００６１】
以下では“内部突出部１３２”、“外部突出部１３３”、“外壁突出部２２１”及び“融着突出部２２２”のいずれか一つを“第１突出部”と称して別の一つを“第２突出部”と称してさらに別の一つを“第３突出部”と称して残りの一つを“第４突出部”と称することができる。
【００６２】
以下では“リーブ１３４”及び“リーブ２２５”のいずれか一つを“第１リーブ”と称して残りの一つを“第２リーブ”と称することができる。
【００６３】
以下では“フロント基盤310”及び“リア基盤320”のいずれか一つを“第1期番”と称して残りの一つを“第２基板”と称することができる。
【００６４】
以下では“ガイド溝３４５ａ”及び“離隔溝３４５ｂ”のいずれか一つを“第１溝”と称して残りの一つを“第２溝”と称することができる。
【００６５】
以下では本実施例に係るカメラモジュールの構成について図面を参照して説明する。
【００６６】
図１は、本実施例に係るカメラモジュールの斜視図で、図２は、図１と異なる方向から見た本実施例に係るカメラモジュールの斜視図で、図３は、本実施例に係るカメラモジュールの分解斜視図で、図４は、本実施例に係るカメラモジュールの一部構成の分解斜視図で、図５は、本実施例に係るカメラモジュールのリアボディーの斜視図と一部拡大図で、図６は、本実施例に係るカメラモジュールの一部構成の斜視図で、図７は、本実施例に係るカメラモジュールの一部構成の斜視図と一部拡大図で、図８は、本実施例に係るカメラモジュールの一部構成の組み立て過程中の状態を図示する斜視図で、図９と図１０は、本実施例に係るカメラモジュールの一部構成の斜視図で、図１１は、本実施例に係るカメラモジュールのシールド部材の展開図で、図１２は、本実施例に係るカメラモジュールのシールド部材の組み立て過程中の状態を図示する斜視図で、図１３は、本実施例に係るカメラモジュールのシールド部材を図示した斜視図で、より詳細には、図１３（ａ）は、本実施例（第１実施例）に係るシールド部材のバーと関連構成を図示したもので、図１３（ｂ）は、変形例（第２実施例）に係るシールド部材のバーと関連構成を図示したもので、図１３の（ｃ）は本実施例（第１実施例）でシールド部材のバーを除去した状態を図示したものであり、図１４は、本実施例に係るカメラモジュールの断面図で、図１５と図１６は、本実施例に係るカメラモジュールの一部構成の断面斜視図で、図１７は、本実施例に係るカメラモジュールの斜視図で、図１８は、本実施例に係るカメラモジュールの一部構成の斜視図で、図１９は、本実施例に係るシールド部材の製造過程中の展開図で、図２０は、本実施例に係るカバーの斜視図である。
【００６７】
カメラモジュールは、車両に結合することができる。カメラモジュールは、車両の前方カメラ、側方カメラ、後方カメラ及びブラックボックスのいずれか一つ以上に用いることができる。カメラモジュールは、被写体を撮影してディスプレイ部（図示せず）に映像で出力することができる。
【００６８】
カメラモジュールは、フロントボディーアセンブリー１００を含むことができる。フロントボディーアセンブリー１００は、レンズ１１０、バレル１２０及びフロントボディー１３０を含むことができる。本実施例では、レンズ１１０、バレル１２０及びフロントボディー１３０が一体で形成されることができる。このような構造により、レンズ１１０、バレル１２０及びフロントボディー１３０が一体で形成されない比較例で必須的に求められるレンズ１１０、バレル１２０及びフロントボディー１３０の間の追加的なシーリング（ｓｅａｌｉｎｇ）部材が省略されることができる。または、レンズ１１０、バレル１２０及びフロントボディー１３０のうち二つ以上が一体で形成されることができる。
【００６９】
フロントボディーアセンブリー１００は、レンズ１１０を含むことができる。フロントボディーアセンブリー１００は、複数のレンズ１１０を含むことができる。レンズ１１０は、バレル１２０に配置されることができる。レンズ１１０は、バレル１２０に収容されることができる。レンズ１１０は、複数で備えられることができる。レンズ１１０は、イメージセンサー３３０とアライメントすることができる。つまり、レンズ１１０の光軸とイメージセンサー３３０の光軸は一致することができる。フロントボディーアセンブリー１００は、レンズ１１０の後方に配置される赤外線フィルター（ＩＲ  ｆｉｌｔｅｒ，Ｉｎｆｒａｒｅｄ  Ｒａｙ  ｆｉｌｔｅｒ）を含むことができる。
【００７０】
フロントボディーアセンブリー１００は、バレル１２０を含むことができる。バレル１２０は、フロントボディー１３０に配置されることができる。バレル１２０は、内部にレンズ１１０を収容することができる。バレル１２０の内周面は、複数のレンズ１１０の外周に対応する形状及びの大きさで形成されることができる。
【００７１】
フロントボディーアセンブリー１００は、フロントボディー１３０を含むことができる。フロントボディー１３０にはバレル１２０が結合することができる。フロントボディー１３０は、リアボディー２００と結合することができる。フロントボディー１３０は、フロント基板３１０と結合することができる。但し、本実施例においてフロントボディー１３０とバレル１２０は、一体で形成されるので、フロント基板３１０がバレル１２０と結合するものと説明されることができる。
【００７２】
フロントボディー１３０は、本体部１３１を含むことができる。本体部１３１は、バレル１２０の外周面から外側に延びることができる。本体部１３１の外周は、四角形状を含むことができる。但し、本体部１３１の外周中コーナーはラウンディングするように形成されることができる。本体部１３１は、フロント基板３１０と対向する後面（以下、“第１面”と称することができる）を含むことができる。
【００７３】
フロントボディー１３０は、リアボディー２００と対向する第１面（後面（ｒｅａｒ  ｓｕｒｆａｃｅ））と、第１面から突出して互いに離隔する内部突出部１３２（以下、“第１突出部”と称することができる）と外部突出部１３３（以下、“第２突出部”と称することができる）を含むことができる。
【００７４】
フロントボディー１３０は、内部突出部１３２を含むことができる。内部突出部１３２は、フロントボディー１３０の本体部１３１の第１面から突出することができる。内部突出部１３２は、外部突出部１３３の中に配置されることができる。内部突出部１３２は、フロント基板３１０と結合することができる。内部突出部１３２の末端と本体部１３１の第１面との間の距離は、外部突出部１３３の末端と本体部１３１の第１面との間の距離より長いことがある。つまり、内部突出部１３２が外部突出部１３３より突出することができる。内部突出部１３２の末端面は、フロント基板３１０の第３面（前面（ｆｒｏｎｔ  ｓｕｒｆａｃｅ））と接着剤６００により固定されることができる。内部突出部１３２の末端面の外周の大きさは、フロント基板３１０の第３面（前面）の外周の大きさより小さいことがある。本実施例では、接着剤６００がフロント基板３１０の外周から所定間隔離隔した内側に配置されることによって接着剤６００がフロント基板３１０の外部に流出される現象が防止されることができる。内部突出部１３２は、断面が単一閉曲線形状を持つように本体部１３１の第１面から延びることができる。内部突出部１３２の外周は、四角形状を含むことができる。但し、内部突出部１３２の外周中コーナーはラウンディングするように形成されることができる。
【００７５】
フロントボディー１３０は、外部突出部１３３を含むことができる。外部突出部１３３は、フロントボディー１３０の本体部１３１の第１面から突出することができる。外部突出部１３３は、内部突出部１３２の外に配置されることができる。外部突出部１３３は、リアボディー２００と結合することができる。外部突出部１３３は、フロントボディー１３０の本体部１３１の第１面の外周から離隔することができる。外部突出部１３３は、内部突出部１３２と本体部１３１の外周との間に配置されることができる。外部突出部１３３は、断面が単一閉曲線形状を持つように本体部１３１の第１面から延びることができる。外部突出部１３３の外周は、四角形状を含むことができる。但し、外部突出部１３３の外周中コーナーはラウンディングするように形成されることができる。
【００７６】
本実施例においてフロントボディー１３０は、内部突出部１３２と外部突出部１３３との間で内部突出部１３２と外部突出部１３３を連結して互いに離隔する複数のリーブ１３４を含むことができる。複数のリーブ１３４の間には複数の離隔空間１３５が形成されることができる。このような複数のリーブ１３４の離隔構造は、“ダイエット構造”と称することができる。本実施例では、複数のリーブ１３４の離隔構造により、フロントボディー１３０とリアボディー２００の超音波融着過程で発生する熱が、フロントボディー１３０の内部突出部１３２とフロント基板３１０を固定する接着剤６００に伝達される現象が最小化されることができる。
【００７７】
フロントボディー１３０は、リーブ１３４を含むことができる。リーブ１３４は、フロントボディー１３０の本体部１３１の第１面から延びることができる。リーブ１３４は、内部突出部１３２と外部突出部１３３を連結することができる。リーブ１３４は、内部突出部１３２と外部突出部１３３の強度を補強することができる。リーブ１３４は、複数で備えられて離隔することができる。この時、複数のリーブ１３４の間には複数の離隔空間１３５が形成されることができる。リーブ１３４は、内部突出部１３２の四つの面に各々五つずつ配置されることができる。リーブ１３４は、内部突出部１３２のコーナーとは離隔して配置されることができる。
【００７８】
リーブ１３４は、傾斜面１３４ａを含むことができる。リーブ１３４は、内部突出部１３２側でリーブ１３４の末端と本体部１３１の第１面との間の距離が、外部突出部１３３側からリーブ１３４の末端と本体部１３１の第１面との間の距離より長く傾斜する傾斜面１３４ａを含むことができる。
【００７９】
本実施例においてリーブ１３４の末端面は、内部突出部１３２と外部突出部１３３に対して傾斜するように配置されることができる。この時、傾斜は外側に行くほどリーブ１３４の高さが低くなることができる。これにより傾斜面１３４ａは、リアボディー２００の内側空間にフロントボディー１３０が挿入される時フロントボディー１３０の挿入をガイドすることができる。つまり、リアボディー２００にフロントボディー１３０が、所定間隔定位置からずれて挿入されてもリーブ１３４の傾斜面１３４ａにリアボディー２００の外壁突出部２２１が接触するようになってフロントボディー１３０は挿入されるほど定位置に自然に移動するようになる。もちろん、フロントボディー１３０にリアボディー２００がフロントボディー１３０を収容するように挿入されることもできてこの際も同じ説明が適用されることができる。
【００８０】
フロントボディー１３０は、離隔空間１３５を含むことができる。離隔空間１３５は、複数のリーブ１３４の間に配置されることができる。離隔空間１３５を介して超音波結合（融着）時外部突出部１３３から発生する熱が、内部突出部１３２に配置される接着剤６００に到達する現象が防止されることができる。
【００８１】
カメラモジュールは、リアボディー２００を含むことができる。リアボディー２００は、フロントボディー１３０と結合することができる。リアボディー２００は、フロントボディー１３０との結合により内部に空間を形成することができる。
【００８２】
本実施例においてフロントボディー１３０とリアボディー２００は、外部突出部１３３と融着突出部２２２が融着されて結合することができる。フロントボディー１３０の外部突出部１３３とリアボディー２００の融着突出部２２２は、超音波融着により一体化することができる。この時、リアボディー２００とフロントボディー１３０との間の超音波融着とは、リアボディー２００を固定した状態でフロントボディー１３０を加圧と共に振動させてリアボディー２００とフロントボディー１３０の接触の部分が融着されて一体化する過程を意味する。この時、リアボディー２００の融着突出部２２２とフロントボディー１３０の外部突出部１３３は、高温が発生して融着により一体化することができる。変形例で、超音波融着時フロントボディー１３０が固定されてリアボディー２００を加圧と共に振動させることもできる。本実施例において超音波融着は、“高周波融着”、“加圧／振動融着”等と称することができる。
【００８３】
リアボディー２００は、フロントボディー１３０と離隔する底部２１０と、底部２１０からフロントボディー１３０に向かって延びる側部２２０を含むことができる。
【００８４】
リアボディー２００は、底部２１０を含むことができる。底部２１０は、フロントボディー１３０と離隔することができる。底部２１０は、フロントボディー１３０と平行するように配置されることができる。底部２１０は、四角板形状であり得る。但し、底部２１０のコーナーは、ラウンディングするように形成されることができる。底部２１０にはコネクター３５０が通過するホールが配置されることができる。
【００８５】
リアボディー２００は、側部２２０を含むことができる。側部２２０は、底部２１０から延びることができる。側部２２０は、内部に配置される基板アセンブリー３００とカバー４００を覆うことができる。側部２２０は、底部２１０の外周またはエッジ（ｅｄｇｅ）から延びることができる。側部２２０は、四つに配置されることができる。四つの側部２２０は、各々隣接した別の側部２２０と９０度を形成することができる。四つの側部２２０のうち二つの側部２２０には突起２２４とリーブ２２５が配置されることができる。側部２２０の末端（ｄｉｓｔａｌ  ｅｎｄ）（前端（ｆｒｏｎｔ  ｅｎｄ））は、フロントボディー１３０と結合することができる。
【００８６】
リアボディー２００の側部２２０は、フロントボディー１３０と対向する前面（ｆｒｏｎｔ  ｓｕｒｆａｃｅ）（以下、“第２面”と称することができる）と、第２面から突出して外部突出部１３３とフロントボディー１３０の第１面の外周との間に対応する位置に配置される外壁突出部２２１と、外壁突出部２２１の内面と第２面を傾斜するように連結する融着突出部２２２を含むことができる。
【００８７】
側部２２０は、外壁突出部２２１（以下、“第３突出部”と称することができる）を含むことができる。外壁突出部２２１は、側部２２０の外周を形成することができる。外壁突出部２２１は、側部２２０の外周がそのまま延びて形成されることができる。外壁突出部２２１の前面は、フロントボディー１３０の後面に対向することができる。外壁突出部２２１の前面とフロントボディー１３０の本体部１３１の後面は、結合することができる。
【００８８】
側部２２０は、融着突出部２２２（以下、“第４突出部”と称することができる）を含むことができる。融着突出部２２２は、側部２２０の前面（第２面）と外壁突出部２２１の内面を傾斜するように連結することができる。融着突出部２２２の傾斜面は、側部２２０の前面と１３５度を形成することができる。融着突出部２２２の傾斜面は、外壁突出部２２１の内面と１３５度を形成することができる。融着突出部２２２は、側部２２０の前面から突出することができる。融着突出部２２２とフロントボディー１３０の外部突出部１３３は、前後方向（光軸方向）にオーバーラップされることができる。融着突出部２２２と外部突出部１３３は、加圧／振動によって融着されて一体化することができる。本実施例では、このような一体化結合によってフロントボディー１３０とリアボディー２００との間に求められる追加的なシーリング部材が省略されることができる。
【００８９】
側部２２０は、溝２２３を含むことができる。リアボディー２００は、外壁突出部２２１の外周面に配置されて外壁突出部２２１の末端に延びる溝２２３を含むことができる。本実施例では溝２２３を介してフロントボディー１３０とリアボディー２００との間の融着が正しく行われたか否かを確認することができる。
【００９０】
リアボディー２００は、外側面（ｏｕｔｅｒ  ｌａｔｅｒａｌ  ｓｕｒｆａｃｅ）に配置される突起２２４を含むことができる。側部２２０は、突起２２４を含むことができる。突起２２４は、ブラケット５００のフック５２１に係止することができる。突起２２４は、後方に向かう面が傾斜面で形成されることができる。このような構造により、リアボディー２００に対してブラケット５００が加圧されればフック５２１が傾斜面を乗って越えて突起２２４に係止することができる。突起２２４は、リアボディー２００の一つの側部２２０に二つずつ、二つの側部２２０に配置されて計四つの突起２２４が配置されることができる。本実施例では側部２２０に突起２２４が配置されてブラケット５００にフック５２１が配置されるが、変形例では側部２２０にフックが配置されてブラケット５００に突起が配置されることができる。
【００９１】
本実施例において突起２２４は、リアボディー２００の外側面（第２面）のいずれか一つの面に互いに離隔して配置される第１突起と第２突起を含むことができる。この時、フック５２１は、第１突起に係止する第１フックと、第２突起に係止する第２フックを含むことができる。
【００９２】
突起２２４は、フック５２１が係止する第６面（前面）と、第６面とリアボディー２００の第２面（外側面）を連結する第７面（後面、傾斜面）を含むことができる。この時、突起２２４の第７面は、突起２２４の第６面とリアボディー２００の第２面を傾斜するように連結することができる。突起２２４の第７面は、突起２２４の第６面と鋭角を形成してリアボディー２００の第２面と鈍角を形成することができる。このような構造により、フック５２１が、突起２２４の第７面を乗って超えることは容易になるが、反対方向にフック５２１が突起２２４から脱去されるのは難しいことがある。
【００９３】
リアボディー２００は、外側面（第２面）に第１フックと第２フックとの間に配置されるリーブ２２５を含むことができる。この時、リーブ２２５の幅は、第１フックと第２フックとの間の離隔距離と対応することができる。このような構造により、リーブ２２５は、ブラケット５００がリアボディー２００に挿入される過程で組み立てをガイドすることができる。リーブ２２５は、ブラケット５００の二つのフック５２１の間に配置されることができる。リーブ２２５は、二つの突起２２４の間に配置されることができる。
【００９４】
リアボディー２００は、コネクター引き出し部２３０を含むことができる。コネクター引き出し部２３０は、ホールを含むことができる。ホールを介してコネクター３５０と通過することができる。コネクター引き出し部２３０は、中にコネクター３５０の少なくとも一部を収容することができる。コネクター引き出し部２３０の内周の少なくとも一部の直径は、コネクター３５０の直径と対応することができる。このような構造によりコネクター引き出し部２３０はコネクター３５０を把持及び／または固定することができる。
【００９５】
カメラモジュールは、基板アセンブリー３００を含むことができる。基板アセンブリー３００は、カバー４００の中に収容されることができる。基板アセンブリー３００は、リアボディー２００とフロントボディー１３０により形成される内部空間に配置されることができる。基板アセンブリー３００は、フロントボディー１３０に接着剤６００により固定されることができる。
【００９６】
基板アセンブリー３００は、フロント基板３１０（以下、“第１基板”と称することができる）を含むことができる。フロント基板３１０は、フロントボディー１３０とリアボディー２００との間の内部空間に配置されることができる。フロント基板３１０は、フロントボディー１３０と対向する前面（以下、“第３面”と称することができる）を含むことができる。フロント基板３１０にはイメージセンサー３３０が配置されることができる。この時、フロント基板３１０は、“センサー基板”と称することができる。フロント基板３１０は、印刷回路基板（ＰＣＢ，Ｐｒｉｎｔｅｄ  Ｃｉｒｃｕｉｔ  Ｂｏａｒｄ）であり得る。フロント基板３１０は、剛性の印刷回路基板（Ｒｉｇｉｄ  ＰＣＢ）であり得る。フロント基板３１０は、リア基板３２０と電気的に連結されることができる。フロント基板３１０は、リア基板３２０と対向する第３面（後面）を含むことができる。この時、シールド部材３４０は、フロント基板３１０の第３面に結合する突起３４２を含むことができる。
【００９７】
基板アセンブリー３００は、連結部３１５を含むことができる。連結部３１５は、フロント基板３１０とリア基板３２０を連結することができる。連結部３１５は、フロント基板３１０とリア基板３２０を電気的に連結することができる。連結部３１５は、軟性の印刷回路基板（ＦＰＣＢ，Ｆｌｅｘｉｂｌｅ  Ｐｒｉｎｔｅｄ  Ｃｉｒｃｕｉｔ  Ｂｏａｒｄ）であり得る。連結部３１５は、折り曲げられることができる。連結部３１５は弾性を持つことができる。
【００９８】
基板アセンブリー３００は、リア基板３２０（以下、“第２基板”と称することができる）を含むことができる。リア基板３２０は、フロント基板３１０に電源を供給することができる。リア基板３２０は、“電源部ＰＣＢ”と称することができる。リア基板３２０は、フロント基板３１０と平行するように配置されることができる。リア基板３２０は、フロント基板３１０と離隔することができる。リア基板３２０は、コネクター３５０と電気的に連結されることができる。
【００９９】
リア基板３２０は、突起３２１を含むことができる。突起３２１は、リア基板３２０の外周に配置されることができる。突起３２１は、少なくとも一部がシールド部材３４０のホール３４３ｂに配置されることができる。突起３２１は、ホール３４３ｂに配置されて延長部３４３ａと対向する四つの面を含むことができる。この時、突起３２１の四つの面は、前方に向ける前面と、前面の反対側に配置される後面と、前面と後面を延長する両側面を含むことができる。本実施例では、突起３２１の四つの面中少なくとも一つの面が延長部３４３ａと離隔することができる。さらに、突起３２１の四つの面中少なくとも二つの面が延長部３４３ａと離隔することができる。さらに、突起３２１の四つの面中少なくとも三つの面が延長部３４３ａと離隔することができる。つまり、本実施例では、突起３２１と延長部３４３ａとの間に離隔空間が配置されることができる。本実施例では、図７に示したように突起３２１と延長部３４３ａとの間にｘ軸方向の離隔空間と、z軸方向の離隔空間が配置されることができる。
【０１００】
突起３２１は、リア基板３２０の第１面（外側面）に配置される第１突起と、第１面の反対側に配置されるリア基板３２０の第２面（外側面）に配置される第２突起を含むことができる。リア基板３２０は、リア基板３２０の外周に第１突起の両側に配置される第１溝と、リア基板３２０の外周に第２突起の両側に配置される第２溝を含むことができる。リア基板３２０は、リア基板３２０の第１面（外側面）に配置される第１溝と、第１面の反対側に配置されるリア基板３２０の第２面（外側面）に配置される第２溝を含むことができる。この時、延長部３４３ａは、第１溝に配置される第１延長部と、第２溝に配置される第２延長部を含むことができる。本実施例では、第１延長部の内面と第２延長部の内面中少なくとも一つは、リア基板３２０と離隔することができる。つまり、本実施例では、延長部３４３ａとリア基板３２０との間にｙ軸方向（図７参照）の離隔空間が配置されることができる。
【０１０１】
上述したリア基板３２０と延長部３４３ａとの間のｘ軸、ｙ軸及び／またはｚ軸方向の離隔空間によって、フロントボディー１３０に固定されるフロント基板３１０とリアボディー２００に固定されるリア基板３２０との間累積公差が大きい場合でもリアボディー２００の突起３２１が延長部３４３ａのホール３４３ｂに挿入されることができる。
【０１０２】
リア基板３２０は、三つの突起３２１を含むことができる。リア基板３２０の四つの側面中三つの側面にだけ突起３２１が配置されることができる。リア基板３２０の四つの側面中一つの側面には突起３２１が配置されないことがある。この時、シールド部材３４０は、三つの突起３２１と各々結合する三つの延長部３４３ａを含むことができる。延長部３４３ａは、本体部３４１の第４面（後面）から延びることができる。シールド部材３４０の四つの本体部３４１中三つの本体部３４１には各々延長部３４３ａが配置されて、残りの一つの本体部３４１には切開部が配置されることができる。切開部は、バー３４５が除去されながら形成される部分であり得る。切開部は、第４面よりも陥没することができる。図１３（ｃ）に示したように一部実施例において切開部と第４面との間には離隔溝３４５ｂが配置されることができる。
【０１０３】
基板アセンブリー３００は、イメージセンサー３３０を含むことができる。イメージセンサー３３０は、フロント基板３１０に配置されることができる。イメージセンサー３３０は、フロント基板３１０に電気的に連結されることができる。イメージセンサー３３０は、フロント基板３１０に表面実装技術（ＳＭＴ，Ｓｕｒｆａｃｅ  Ｍｏｕｎｔｉｎｇ  Ｔｅｃｈｎｏｌｏｇｙ）により結合することができる。他の例で、イメージセンサー３３０は、フロント基板３１０にフリップチップ（ｆｌｉｐ  ｃｈｉｐ）技術によって結合することができる。イメージセンサー３３０は、レンズ１１０と光軸が一致するように配置されることができる。つまり、イメージセンサー３３０の光軸とレンズ１１０の光軸は、アライメント（ａｌｉｇｎｍｅｎｔ）できる。イメージセンサー３３０は、イメージセンサー３３０の有効画像領域に照射される光を電気的信号に変換することができる。イメージセンサー３３０は、ＣＣＤ（ｃｈａｒｇｅ  ｃｏｕｐｌｅｄ  ｄｅｖｉｃｅ、電荷結合素子）、ＭＯＳ（ｍｅｔａｌ  ｏｘｉｄｅ  ｓｅｍｉ−ｃｏｎｄｕｃｔｏｒ、金属酸化物半導体）、ＣＰＤ及びＣＩＤのいずれか一つであり得る。
【０１０４】
基板アセンブリー３００は、シールド部材３４０を含むことができる。シールド部材３４０は、フロント基板３１０とリア基板３２０を固定することができる。シールド部材３４０は、フロント基板３１０とリア基板３２０に結合することができる。シールド部材３４０にはフロント基板３１０とリア基板３２０が離隔して配置されることができる。シールド部材３４０は、フロント基板３１０の後面に直接結合することができる。リア基板３２０とシールド部材３４０は、リア基板３２０の突起がシールド部材３４０の結合部３４３のホール３４３ｂに挿入されて結合することができる。シールド部材３４０は、金属で形成されることができる。この時、シールド部材３４０は、“シールドカン”と称することができる。
【０１０５】
本実施例においてシールド部材３４０は、一体で形成されることができる。本実施例においてシールド部材３４０は、一体の板材が折曲（ベンディング、ｂｅｎｄｉｎｇ）されて形成されることができる。本実施例においてシールド部材３４０は、四つの本体部３４１が四つの連結部３４４（ブリッジ）に対して折り曲げられて第１傾斜部３４３ｃと第２傾斜部３４３ｄが折り曲げられることによって形成されることができる。シールド部材３４０とフロント基板３１０の結合時に用いられるバー３４５は、シールド部材３４０とフロント基板３１０の結合以後除去されることができる。
【０１０６】
本実施例においてシールド部材３４０とフロント基板３１０及びリア基板３２０との間の結合は以下の順により進行されることができる。まず、シールド部材３４０の突起３４２が、フロント基板３１０の後面（リア基板３２０と対向する面、フロントボディー１３０と対向する第３面の反対側に配置される面）に結合することができる。この時、シールド部材３４０の突起３４２は、フロント基板３１０の後面に表面実装技術（ＳＭＴ，Ｓｕｒｆａｃｅ  Ｍｏｕｎｔｉｎｇ  Ｔｅｃｈｎｏｌｏｇｙ）により結合することができる。この時、フロント基板３１０の前面（フロントボディー１３０と対向する第３面）にはイメージセンサー３３０が実装された状態であり得る。フロント基板３１０にイメージセンサー３３０を実装して以後フロント基板３１０にシールド部材３４０を結合することができて、フロント基板３１０にシールド部材３４０をまず実装して以後フロント基板３１０にイメージセンサー３３０を実装することもできる。以後、フロント基板３１０の前面にフロントボディーアセンブリー１００を接着剤６００で固定することができる。この時、レンズ１１０とイメージセンサー３３０との間のアライメントが調節されることができる。この過程においてレンズ１１０とイメージセンサー３３０との間にアクティブアライン（ＡＡ，Ａｃｔｉｖｅ  Ａｌｉｇｎ）が行われることができる。但し、変形例においてフロント基板３１０とフロントボディーアセンブリー１００の結合後、フロント基板３１０にシールド部材３４０が結合することもできる。以後、フロント基板３１０から延びる連結部３１５のＦＰＣＢを折り曲げてリア基板３２０をシールド部材３４０の３か所のホール３４３ｂに押し込む。この時、リア基板３２０の後面にはコネクター３５０が結合した状態であり得る。もちろん、コネクター３５０は、以後にカバー４００が結合する過程において一緒に結合することもできる。
【０１０７】
シールド部材３４０は、本体部３４１を含むことができる。本体部３４１は、フロント基板３１０に結合することができる。本体部３４１は、金属の板材であり得る。本体部３４１は、四つに配置されることができる。本体部３４１は、四つで備えられて離隔することができる。この時、四つの本体部３４１は、各々隣接した本体部３４１と９０度を形成することができる。本体部３４１は、連結部３４４にて連結されることができる。四つの本体部３４１中三つの本体部３４１には、リア基板３２０と結合する結合部３４３が配置されて、残りの一つの本体部３４１には、バー３４５が配置されることができる。
【０１０８】
シールド部材３４０は、突起３４２を含むことができる。突起３４２は、本体部３４１の前端（ｆｒｏｎｄ  ｅｎｄ）から突出することができる。突起３４２は一つの本体部３４１に二つずつ互いに離隔して配置されることができる。つまり、四つの本体部３４１に計八つの突起３４２が配置されることができる。シールド部材３４０は、シールド部材３４０とフロント基板３１０との間の結合時離脱強度向上を目的に各本体部３４１ごとに２ヶ所で突起３４２を含むことができる。この時、離脱強度は、ＳＭＤ離脱強度を意味する。一方、一つの本体部３４１ごとに配置される二つの突起３４２は、離隔することができる。つまり、二つの突起３４２の間には空間（ｇａｐ）が配置されることができる。仮に、突起３４２の間に空間が配置されなかった直線タイプ適用時シールド部材３４０の変形や加工時変形により引張力に影響を与えることができる。以上、突起３４２を本体部３４１と別の構成で説明したが、突起３４２は、本体部３４１の一構成で理解されてもよい。
【０１０９】
シールド部材３４０は、結合部３４３を含むことができる。結合部３４３は、リア基板３２０と結合することができる。結合部３４３は、本体部３４１から延びることができる。結合部３４３は、本体部３４１の後端（ｒｅａｒ ｅｎｄ）から突出することができる。結合部３４３は、三つで備えられて三つの本体部３４１に各々配置されることができる。つまり、四つの本体部３４１中一つの本体部３４１には、結合部３４３が配置されないことがある。三つの結合部３４３は、リア基板３２０の三つの側面と結合することができる。結合部３４３は、カバー４００の側板４２０と接触することができる。結合部３４３は、カバー４００の側板４２０と電気的に連結されることができる。
【０１１０】
結合部３４３は、リア基板３２０と対向する第３面（内側面（ｉｎｎｅｒ  ｌａｔｅｒａｌ  ｓｕｒｆａｃｅ））を含み第１溝に配置される第１結合部と、リア基板３２０と対向する第４面（内側面）を含み第２溝に配置される第２結合部を含むことができる。この時、第１結合部の第３面と第２結合部の第４面の少なくとも一つは、リア基板３２０と離隔することができる。
【０１１１】
結合部３４３は、延長部３４３ａを含むことができる。延長部３４３ａは、本体部３４１から延びることができる。延長部３４３ａは、本体部３４１の後端から突出することができる。延長部３４３ａは、本体部３４１の一部で後方に突出することができる。延長部３４３ａの幅は、本体部３４１の幅の４０乃至７０％であり得る。延長部３４３ａにはホール３４３ｂが配置されることができる。
【０１１２】
結合部３４３は、ホール３４３ｂを含むことができる。ホール３４３ｂは、延長部３４３ａに配置されることができる。ホール３４３ｂにはリア基板３２０が結合することができる。ホール３４３ｂにはリア基板３２０の突起が結合することができる。ホール３４３ｂは、リア基板３２０の突起より大きいことがある。つまり、結合部３４３とホール３４３ｂに配置されたリア基板３２０との間には離隔空間が形成されることができる。本実施例においてフロント基板３１０とシールド部材３４０は、フロントボディー１３０に結合して、リア基板３２０とコネクター３５０は、カバー４００とリアボディー２００に結合することができる。本実施例においてシールド部材３４０とリア基板３２０との間の離隔空間は、ｘ軸、ｙ軸及びｚ軸方向に形成されることができる。このような構造によりリア基板３２０にコネクター３５０が固定されて、コネクター３５０がカバー４００の加圧ユニット４１２により固定されて、シールド部材３４０とリア基板３２０等の部材に製作公差があってもリア基板３２０がシールド部材３４０に結合することができる。比較例として、シールド部材３４０のホール３４３ｂの大きさがリア基板３２０の突起と同じである場合なら、リア基板３２０の突起がシールド部材３４０のホール３４３ｂに挿入されないことがある。リア基板３２０は、リアボディー２００に固定されてシールド部材３４０は、フロントボディー１３０に固定されるためである。
【０１１３】
結合部３４３は、第１傾斜部３４３ｃを含むことができる。第１傾斜部３４３ｃは、延長部３４３ａから外側に傾斜するように延びることができる。第１傾斜部３４３ｃは、延長部３４３ａに対して外側に折り曲げられることができる。第１傾斜部３４３ｃは、延長部３４３ａから傾斜するように延びることができる。結合部３４３は、第２傾斜部３４３ｄを含むことができる。第２傾斜部３４３ｄは、第１傾斜部３４３ｃから内側に傾斜するように延びることができる。第２傾斜部３４３ｄは、第１傾斜部３４３ｃに対して内側に折り曲げられることができる。または、第２傾斜部３４３ｄは、少なくとも一部で延長部３４３ａと平行することができる。本実施例では、第１傾斜部３４３ｃと第２傾斜部３４３ｄの形状によって、リア基板３２０を結合部３４３のホール３４３ｂに挿入することが容易であると共にリア基板３２０を除去するのも容易である。リア基板３２０をシールド部材３４０の本体部３４１に向けて加圧すると、リア基板３２０の突起は、第１傾斜部３４３ｃを乗って降りてホール３４３ｂに挿入されるようになる。さらに、第２傾斜部３４３ｄを把持して外側に引くと、リア基板３２０の突起はホール３４３ｂから簡単に脱去されることができる。
【０１１４】
シールド部材３４０は、連結部３４４を含むことができる。シールド部材３４０は、四つの本体部３４１を連結する四つの連結部３４４を含むことができる。連結部３４４は、シールド部材３４０の各隅（コーナー）に配置されることができる。連結部３４４は、シールド部材３４０の製作工程単純化（ベンディングのみで形状の実現）と品質向上のためにブリッジ形態で形成されることができる。この時、連結部３４４は“ブリッジ”と称することができる。
【０１１５】
シールド部材３４０は、バー３４５を含むことができる。バー３４５は、フロント基板３１０にシールド部材３４０を結合する時シールド部材３４０を把持するために使用されることができる。以後、フロント基板３１０に対するシールド部材３４０の結合が完了すると、バー３４５は除去されることができる。バー３４５は、本体部３４１から折り曲げられて形成されることができる。バー３４５は、図１３（ａ）に図示された第１実施例のように後面（リア基板３２０と対向する面）が本体部３４１の後端より突出しないように本体部３４１から折り曲げられることができる。この時、バー３４５と本体部３４１の連結部の両側方には離隔溝３４５ｂが配置されることができる。または、バー３４５は、図１３（ｂ）に図示された第２実施例のように後面が本体部３４１の後端よりバー３４５の厚さだけ突出するように配置されることができる。この時、離隔溝３４５ｂは省略されることができる。一方、第１実施例に係るバー３４５が除去された後の形状は、図１３（ｃ）に図示されたものと同様である。バー３４５があった部分の本体部３４１の後端が他の部分の本体部３４１の後端より凹に形成されることができる。一方、第２実施例に係るバー３４５が除去された場合、別の図面で図示しなかったが、バー３４５があった部分と他の部分で本体部３４１の後端が一定に延びることができる。シールド部材３４０は、バー３４５が除去されることで形成される切開部を含むことができる。
【０１１６】
シールド部材３４０は、ガイド溝３４５ａ（以下、“第１溝”と称することができる）を含むことができる。ガイド溝３４５ａは、フロント基板３１０に対するシールド部材３４０の結合以後バー３４５のカッティングを円滑にするために配置されることができる。ガイド溝３４５ａは、Ｖ字形状の断面を含むことができる。
【０１１７】
シールド部材３４０は、離隔溝３４５ｂ（以下、“第２溝”と称することができる）を含むことができる。離隔溝３４５ｂは第、１実施例でバー３４５と本体部３４１が連結される部分の両側方に配置されることができる。離隔溝３４５ｂは、Ｕ字形状の溝であり得る。二つの離隔溝３４５ｂの間に本体部３４１の切断部（バー３４５が切断された部分）が配置されることができる。離隔溝３４５ｂは、第２実施例で省略されることができる。
【０１１８】
シールド部材３４０は、除去部３４６を含むことができる。除去部３４６は、図１９に示したように製造過程では存在するが、組み立て過程で除去される部分であり得る。シールド部材３４０は、除去部３４６と連結部３４４が接する部分の両側に形成される溝３４７を含むことができる。この時、溝３４７の幅（図１９のａ参照）は、０．２７ｍｍであってもよい。溝３４７の深さ（図１９のｂ参照）は０．０５ｍｍであってもよい。溝３４７の曲率（図１９のｃ参照）はＲ０．２０ｍｍであってもよい。
【０１１９】
基板アセンブリー３００は、コネクター３５０を含むことができる。コネクター３５０は、リア基板３２０と結合することができる。コネクター３５０は、リア基板３２０に固定されることができる。コネクター３５０は、リア基板３２０と電気的に連結されることができる。コネクター３５０は、カバー４００に固定されることができる。コネクター３５０は、リアボディー２００に固定されることができる。コネクター３５０は、リアボディー２００に結合することができる。コネクター３５０は、カバー４００のホール４１１とリアボディー２００のホールを通過することができる。コネクター３５０は、リアボディー２００のコネクター引き出し部２３０を解して外部に引き出されることができる。コネクター３５０はリア基板３２０から延びてリアボディー２００を通過することができる。
【０１２０】
カメラモジュールは、カバー４００を含むことができる。カバー４００は、リアボディー２００の内面に固定されることができる。カバー４００は、リアボディー２００の中に配置されることができる。カバー４００は、リアボディー２００の中に固定されることができる。カバー４００は、金属で形成されることができる。この時、カバー４００は、“リアシールドカン”と称することができる。カバー４００は、金属の板材が折り曲げられて形成されることができる。カバー４００は、リア基板３２０とグラウンド（接地）できる。カバー４００とコネクター３５０の外面は、グラウンドされることができる。カバー４００は、電磁妨害（ＥＭＩ，ｅｌｅｃｔｒｏ  ｍａｇｎｅｔｉｃ  ｉｎｔｅｒｆｅｒｅｎｃｅ）または電磁気波を遮断することができる。
【０１２１】
カバー４００は、底板４１０を含むことができる。底板４１０は、リアボディー２００の底部２１０に配置されることができる。底板４１０は、ホール４１１を含むことができる。底板４１０のホール４１１は、コネクター３５０が通過することができる。底板４１０はコネクター３５０が配置されるホール４１１を含むことができる。
【０１２２】
カバー４００は、テンション構造を含むことができる。カバー４００のテンション構造は、二重構造でコネクター３５０を加圧することができる。カバー４００のテンション構造は、同時にコネクター３５０を中心に押してコネクター３５０を下方へ押すことができる。
【０１２３】
本実施例では、カバー４００の加圧ユニット４１２（テンション構造）によりコネクター３５０を固定することができる。この時、シールド部材３４０の結合部３４３のホール３４３ｂは、リア基板３２０との結合の部分に十分な公差を設けるように形成されることによってリア基板３２０とシールド部材３４０との間に累積公差が発生してもリア基板３２０に対してコネクター３５０の同心がずれる現象が防止されることができる。
【０１２４】
カバー４００は、底板４１０に配置されてコネクター３５０を弾性的に支持する加圧ユニット４１２を含むことができる。底板４１０は、加圧ユニット４１２を含むことができる。加圧ユニット４１２は、底板４１０の一構成として理解されることができ、または、  加圧ユニット４１２は、底板４１０とは別の構成で理解されることができる。加圧ユニット４１２は、コネクター３５０を加圧することができる。加圧ユニット４１２は、コネクター３５０を弾性的に支持することができる。加圧ユニット４１２は、コネクター３５０を固定することができる。加圧ユニット４１２は、第１加圧部４１２ａを含むことができる。第１加圧部４１２ａは、コネクター３５０の後面（カバー４００の底板４１０と対向する面）を支持することができる。第１加圧部４１２ａは、コネクター３５０を前方（リア基板３２０に向かう方向）に加圧することができる。つまり、第１加圧部４１２ａは、コネクター３５０をリア基板３２０に向けて加圧することができる。加圧ユニット４１２は、第２加圧部４１２ｂを含むことができる。第２加圧部４１２ｂは、コネクター３５０の外周面を支持することができる。第２加圧部４１２ｂは、コネクター３５０を底板４１０のホール４１１の中心に向けて加圧することができる。加圧ユニット４１２は、互いに離隔する四つの加圧片を含むことができる。四つの加圧片は、コネクター３５０の第２面（外側面）の周りに等間隔に配置されることができる。四つの加圧片は各々、隣接した別の加圧片と９０度に配置されることができる。四つの加圧片は各々、第１加圧部４１２ａと第２加圧部４１２ｂを含むことができる。変形例として、加圧ユニット４１２は、二つの加圧片で備えられることができる。別の変形例で、加圧ユニット４１２は、八つの加圧片で備えられることができる。変形例で、加圧ユニット４１２は、互いに離隔する複数の加圧片を含み、複数の加圧片の一部は、第１加圧部４１２ａで形成されて複数の加圧片の残りの一部は、第２加圧部４１２ｂで形成されることができる。つまり、変形例では第１加圧部４１２ａと第２加圧部４１２ｂが別に形成されることができる。
【０１２５】
加圧ユニット４１２は、コネクター３５０の第１面（後面）を加圧する第１加圧部４１２ａと、コネクター３５０の第２面（外側面）を加圧する第２加圧部４１２ｂを含むことができる。この時、コネクター３５０は、カバー４００の底板４１０の内面と対向する第１面（後面）と、第１面から延びてホール４１１に配置される第２面（外側面）を含むことができる。加圧ユニット４１２は、コネクター３５０を第１方向（前方）に加圧する第１加圧部４１２ａと、コネクター３５０を第１方向と異なる第２方向（内側）に加圧する第２加圧部４１２ｂを含むことができる。つまり、本実施例で、加圧ユニット４１２は、コネクター３５０を少なくとも２方向以上に加圧することができる。このような構造によりコネクター３５０はカバー４００の底板４１０に堅固に固定されることができる。
【０１２６】
第１加圧部４１２ａと第２加圧部４１２ｂは、底板４１０と一体で形成されることができる。つまり、底板４１０の一部が切開されて折り曲げられて第１加圧部４１２ａと第２加圧部４１２ｂが形成されることができる。底板４１０の切開された部分が、一次的に折り曲げられて第１加圧部４１２ａが形成されて一次的に折り曲げられた部分で二次的に折り曲げられて第２加圧部４１２ｂが形成されることができる。
【０１２７】
加圧ユニット４１２は、底板４１０から内側に傾斜するように延びる第１延長部と、第１延長部から延びてコネクター３５０の第１面（後面）と接触する第１接触部と、第１接触部からホール４１１に向かって傾斜するように延びる第２延長部を含むことができる。さらに、加圧ユニット４１２は、第２延長部から延びてコネクター３５０の第２面（外側面）と接触する第２接触部と、第２接触部から外側に傾斜するように延びる第３延長部をさらに含むことができる。
【０１２８】
カバー４００は、側板４２０を含むことができる。側板４２０は、シールド部材３４０と接触することができる。側板４２０の内面は、シールド部材３４０の結合部３４３と接触することができる。これにより、シールド部材３４０とカバー４００は、接地（グラウンディング、ｇｒｏｕｄｉｎｇ）できる。カバー４００の側板４２０とシールド部材３４０の結合部３４３は、３か所で接触することができる。側板４２０は、底板４１０に延びることができる。側板４２０は、底板４１０の外周またはエッジから延びることができる。側板４２０は、四つの側板４２０を含むことができる。四つの側板４２０は、リアボディー２００の四つの側部２２０に対応するように配置されることができる。側板４２０の前端（ｆｒｏｎｔ  ｅｎｄ）／末端（ｄｉｓｔａｌ  ｅｎｄ）は、レンズ１１０の光軸に垂直した方向にフロント基板３１０とオーバーラップされることができる。
【０１２９】
カメラモジュールは、ブラケット５００を含むことができる。ブラケット５００は、カメラモジュールを車両などに固定するために使用されることができる。ブラケット５００は、リアボディー２００に結合することができる。ブラケット５００は、車両などに固定されることができる。
【０１３０】
本実施例においてブラケット５００は、リアボディー２００の外面に結合することができる。この時、リアボディー２００の外面は、フロントボディー１３０の反対側に配置される第１面（後面）と、第１面とフロントボディー１３０を連結する第２面（外側面）を含むことができる。また、リアボディー２００の外面は、第２面の反対側に配置される第３面（外側面）を含むことができる。リアボディー２００の外面は、第２面と第３面との間に配置されて互いに反対側に配置される第４面（外側面）と第５面（外側面）を含むことができる。つまり、リアボディー２００の外面は一つの後面と、四つの外側面を含むことができる。
【０１３１】
ブラケット５００は、底部５１０を含むことができる。底部５１０は、リアボディー２００の第１面（後面）と対向することができる。底部５１０は、リアボディー２００の底部２１０と対応する位置に配置されることができる。底部５１０は、コネクター３５０が通過するホールを含むことができる。
【０１３２】
ブラケット５００は、加圧部５１１を含むことができる。加圧部５１１は、底部５１０に配置されてリアボディー２００の第１面（後面）を前方に加圧することができる。加圧部５１１は、リアボディー２００の後面を支持することができる。底部５１０は、加圧部５１１を含むことができる。加圧部５１１は、弾性を持つことができる。この時、加圧部５１１は、“テンション構造”と称することができる。加圧部５１１は、二つに備えられることができる。二つの加圧部５１１は、底部５１０から互いに９０度の角度を形成するように延びることができる。加圧部５１１は、第１方向に配置される第１加圧部と、第１方向と異なる第２方向に配置される第２加圧部を含むことができる。この時、第１方向は、第２方向と垂直であり得る。加圧部５１１は、リアボディー２００の底部２１０を前方（フロントボディー１３０に向かう方向）に加圧することができる。このような構造により、突起２２４とフック５２１との間のフック結合が堅固に維持されることができる。
【０１３３】
本実施例において加圧部５１１は、底部５１０と一体で形成されることができる。加圧部５１１は、底部５１０からリアボディー２００の後面（第１面）に向かって延びる第１延長部と、第１延長部から延びてリアボディー２００の後面に接触する接触部と、接触部からリアボディー２００の後面と離れる方向に延びる第２延長部を含むことができる。
【０１３４】
ブラケット５００は、側部５２０を含むことができる。側部５２０は、リアボディー２００の第２面（外側面）に配置されることができる。側部５２０は、底部５１０の外周またはエッジから延びることができる。側部５２０は、四つの側部５２０を含むことができる。この時、互いに反対側に配置される二つの側部５２０は、フック５２１を含むことができる。この時、別の二つの側部５２０はホール５２２を含むことができる。
【０１３５】
ブラケット５００の側部５２０は、リアボディー２００の四つの外側面のうちの二つの外側面（第４面、第５面）各々に配置されてホール５２２を含む結合部５２３を含むことができる。結合部５２３は車両に結合することができる。
【０１３６】
ブラケット５００は、側部５２０に配置されて、リアボディー２００の突起２２４に係止するフック５２１を含むことができる。フック５２１は、底部５１０から延びることができる。側部５２０は、フック５２１を含むことができる。フック５２１は、リアボディー２００の突起２２４と結合することができる。ブラケット５００の側部５２０は、二つの面に二つずつのフック５２１を含むことができる。つまり、計四つのフック５２１が配置されることができる。この時、二つのフック５２１は、別の二つのフック５２１の反対側に配置されることができる。二つのフック５２１の間には、リアボディー２００のリーブ２２５が配置されることができる。二つのフック５２１とリーブ２２５により左右遊隔が調節されて組み立て時にガイドすることができる。本実施例においてリアボディー２００は、リアボディー２００の外側面に配置されて互いに反対側に配置される第１突起と第２突起を含むことができる。この時、フック５２１は、第１突起と第２突起に各々係止することができる。換言すると、フック５２１は、第１突起に係止する第１フックと、第２突起に係止する第２フックを含むことができる。
【０１３７】
側部５２０は、ホール５２２を含むことができる。ホール５２２は。車両等に固定される固定部材（図示せず）が結合するために形成されることができる。例えば、ホール５２２には螺旋が結合することができる。この時、ホール５２２は、“螺旋ホール”と称することができる。ホール５２２は、一つの側部５２０に二つずつ互いに反対側に配置される二つの側部５２０に計四つが配置されることができる。
【０１３８】
カメラモジュールは、接着剤６００を含むことができる。接着剤６００は、フロントボディーアセンブリー１００とフロント基板３１０を固定することができる。接着剤６００は、フロントボディー１３０の内部突出部１３２とフロント基板３１０の前面との間に配置されることができる。本実施例では、レンズ１１０とイメージセンサー３３０との間のアクティブアライン（Ａｃｔｉｖｅ  Ａｌｉｇｎ）が行われることができる。より詳細には、接着剤６００の仮硬化状態でレンズ１１０とイメージセンサー３３０の光軸アラインメントを調節して接着剤６００の本硬化を進めることができる。接着剤６００は、熱及び／または紫外線（ＵＶ）により硬化することができる。
【０１３９】
以上、本発明の実施例を構成するすべての構成要素が一つで結合したり結合して動作すると説明されたが、本発明が必ずしもこのような実施例に限定されない。つまり、本発明の目的範囲内でなら、そのすべての構成要素が一つ以上で選択的に結合して動作することもできる。さらに、以上で記載された‘含む’、‘構成する’または‘持つ’等の用語は、特に反対になる記載がない限り、該当構成要素が内在する可能性があることを意味するので、別の構成要素を排除するのではなく別の構成要素をさらに包含できると解釈されなければならない。技術的または科学的な用語を含んだすべての用語は、異なるように定義されない限り、本発明が属する技術分野において通常の知識を有する者によって一般的に理解されるのと同じ意味がある。予め定義された用語と共に一般的に使われる用語は、関連技術の文脈上の意味と一致すると解釈されるべきであり、本発明で明白に定義しない限り、理想的や過度に形式的な意味と解釈されない。
【０１４０】
以上の説明は、本発明の技術思想を例示的に説明したものに過ぎず、本発明が属する技術分野において通常の知識を有する者なら本発明の本質的な特性から逸脱しない範囲で様々な修正及び変形が可能である。従って、本発明に開示された実施例は、本発明の技術思想を限定するためのものではなく説明するためのもので、このような実施例によって本発明の技術思想の範囲が限定されない。本発明の保護範囲は、添付する特許請求の範囲によって解釈されるべきで、それと同等な範囲内にあるすべての技術思想は本発明の権利範囲に含まれると解釈されなければならない。
【図１】
2020525840.tif 000003
【図２】
2020525840.tif 000004
【図３】
2020525840.tif 000005
【図４】
2020525840.tif 000006
【図５】
2020525840.tif 000007
【図６】
2020525840.tif 000008
【図７】
2020525840.tif 000009
【図８】
2020525840.tif 000010
【図９】
2020525840.tif 000011
【図１０】
2020525840.tif 000012
【図１１】
2020525840.tif 000013
【図１２】
2020525840.tif 000014
【図１３（ａ）】
2020525840.tif 000015
【図１３（ｂ）】
2020525840.tif 000016
【図１３（ｃ）】
2020525840.tif 000017
【図１４】
2020525840.tif 000018
【図１５】
2020525840.tif 000019
【図１６】
2020525840.tif 000020
【図１７】
2020525840.tif 000021
【図１８】
2020525840.tif 000022
【図１９】
2020525840.tif 000023
【図２０】
2020525840.tif 000024
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
フロントボディーと、
前記フロントボディーに配置されるレンズと、
前記フロントボディーに結合するリアボディーと、
前記フロントボディーと前記リアボディーとの間の内部空間に配置される第１基板と、
前記第１基板に配置されるイメージセンサーと、
前記内部空間に前記第１基板と離隔するように配置されて前記第１基板に電気的に連結される第２基板と、
前記第２基板に結合するコネクターと、
前記リアボディー内に固定されるカバーと、を含み、
前記カバーは、前記コネクターが配置されるホールを含む底板と、前記底板に延びる側板と、前記底板に配置されて前記コネクターを弾性的に支持する加圧ユニットを含み、
前記コネクターは、前記カバーの底板の内面と対向する第１面と、前記第１面から延びて前記ホールに配置される第２面を含み、
前記加圧ユニットは、前記コネクターの第１面を加圧する第１加圧部と、前記コネクターの第２面を加圧する第２加圧部を含む、カメラモジュール。
【請求項２】
前記フロントボディーは、前記リアボディーと対向する第１面と、前記第１面から突出して互いに離隔する第１突出部と第２突出部を含み、
前記第１突出部は、前記第２突出部より光軸に近くなるよう前記第２突出部の内側に配置されて、
前記第１突出部は、前記第１基板と結合して、前記第２突出部は、前記リアボディーと結合して、
前記フロントボディーは、前記第１突出部と前記第２突出部との間で前記第１突出部と前記第２突出部を連結して互いに離隔する複数のリーブをさらに含む、請求項１に記載のカメラモジュール。
【請求項３】
前記カメラモジュールは、前記リアボディーの外面に結合するブラケットを含み、
前記リアボディーの外面は、前記フロントボディーの反対側に配置される第１面と、前記第１面と前記フロントボディーを連結する第２面を含み、
前記リアボディーは、前記第２面に配置される突起を含み、
前記ブラケットは、前記リアボディーの第１面と対向する底部と、前記底部に配置されて前記リアボディーの第１面を加圧する加圧部と、前記リアボディーの第２面に配置される側部と、前記側部に配置されて前記突起に係止するフックを含む、請求項１または２に記載のカメラモジュール。
【請求項４】
前記カメラモジュールは、前記第１基板と前記第２基板が結合するシールド部材を含み、
前記シールド部材は、前記第１基板に結合する本体部と、前記本体部から延びる延長部と、前記延長部に配置されるホールを含み、
前記第２基板は、少なくとも一部が前記ホールに配置される突起を含み、
前記突起は、前記ホールに配置されて前記延長部と対向する四つの面を含み、
前記突起の四つの面中少なくとも一つの面は、前記延長部と離隔する、請求項１乃至３のうちいずれか一つに記載のカメラモジュール。
【請求項５】
前記加圧ユニットは、前記底板から内側に傾斜するように延びる第１延長部と、前記第１延長部から延びて前記コネクターの第１面と接触する第１接触部と、前記第１接触部から前記ホールに向かって傾斜するように延びる第２延長部を含む、請求項１乃至４のうちいずれか一つに記載のカメラモジュール。
【請求項６】
前記加圧ユニットは、前記第２延長部から延びて前記コネクターの第２面と接触する第２接触部と、前記第２接触部から外側に傾斜するように延びる第３延長部をさらに含む、請求項５に記載のカメラモジュール。
【請求項７】
前記加圧ユニットは、互いに離隔する四つの加圧片を含み、
前記四つの加圧片は、前記コネクターの第２面の周りに等間隔に配置される、請求項１乃至６のうちいずれか一つに記載のカメラモジュール。
【請求項８】
前記加圧ユニットは、互いに離隔する複数の加圧片を含み、
前記複数の加圧片中一部は、前記第１加圧部で形成されて、前記複数の加圧片中残りの一部は、前記第２加圧部で形成される、請求項１乃至７のうちいずれか一つに記載のカメラモジュール。
【請求項９】
前記カバーと前記コネクターの外面は、グラウンドされる、請求項１乃至８のうちいずれか一つに記載のカメラモジュール。
【請求項１０】
前記加圧ユニットの前記第１加圧部は前記カバーの前記底板より高い位置に配置され、
前記加圧ユニットの前記第２加圧部は前記カバーの前記底板より低い位置に配置される、請求項１乃至９のうちいずれか一つに記載のカメラモジュール。
【請求項１１】
前記加圧ユニットは第１加圧片と、前記第１加圧片の反対側に配置される第２加圧片を含み、
前記加圧ユニットの前記第１加圧片の加圧方向は前記加圧ユニットの前記第２加圧片の加圧方向と反対である、請求項１乃至１０のうちいずれか一つに記載のカメラモジュール。
【請求項１２】
前記コネクターは前記加圧ユニットにより固定される、請求項１乃至１１のうちいずれか一つに記載のカメラモジュール。
【請求項１３】
前記第１基板と前記第２基板との間に配置されるシールド部材を含み、
前記シールド部材は本体部と、前記シールド部材の前記本体部から延びる延長部を含み、
前記延長部は互いに反対側に配置される二つの延長部を含み、
前記二つの延長部各々の少なくとも一部は前記カバーの前記側板の内面に接触する、請求項１乃至１２のうちいずれか一つに記載のカメラモジュール。
【請求項１４】
前記シールド部材の前記延長部はホールを含み、
前記第２基板は前記シールド部材の前記ホールと対応する位置に形成される突起を含み、
前記第２基板の前記突起は前記シールド部材の前記延長部の前記ホールに配置され、
前記第２基板は前記シールド部材によりグラウンドされる、請求項１３に記載のカメラモジュール。
【請求項１５】
フロントボディーと、前記フロントボディーに結合されるリアボディーを含むボディーと、
前記フロントボディーに配置されるレンズと、
前記ボディー内に配置される第１基板と、
前記第１基板の下側に配置され前記第１基板と電気的に連結される第２基板と、
前記第１基板に配置されるイメージセンサーと、
前記ボディー内に配置され前記第１基板と電気的に連結される第２基板と、
底板と、前記底板から延びる側板を含み前記ボディー内に配置されるカバーと、
少なくとも一部が前記カバー内に配置されるコネクターと、を含み、
前記カバーの前記底板は前記コネクターが貫通するホールと、前記ホールの内面の一部から内側に延長される加圧ユニットを含み、
前記加圧ユニットは前記カバーの前記底板より高い位置に配置される第１部分と、前記第１部分から延長され前記カバーの前記底板より低い位置に配置される第２部分を含み、
前記加圧ユニットの前記第１部分は前記コネクターを第１方向に加圧し、前記加圧ユニットの前記第２部分は前記コネクターを前記第１方向に垂直する第２方向に加圧する、カメラモジュール。
【請求項１６】
前記加圧ユニットは第１加圧ユニットと、前記第１加圧ユニットの反対側に配置される第２加圧ユニットを含み、
前記第１加圧ユニットの第２部分の加圧方向は前記第２加圧ユニットの第２部分の加圧方向と反対側である、請求項１５に記載のカメラモジュール。
【請求項１７】
前記コネクターは前記加圧ユニットの前記第１及び第２加圧ユニットにより固定される、請求項１６に記載のカメラモジュール。
【請求項１８】
前記第１基板と前記第２基板との間に配置されるシールド部材を含み、
前記シールド部材は本体部と、前記本体部から延びる延長部を含み、
前記シールド部材の前記延長部は互いに反対側に配置される二つの延長部を含み、
前記二つの延長部の少なくとも一部は前記カバーの前記側板の内面と接触される、請求項１５乃至１７のうちいずれか一つに記載のカメラモジュール。
【請求項１９】
前記シールド部材の前記延長部はホールを含み、
前記第２基板は前記シールド部材の前記ホールと対応する位置に形成される突起を含み、
前記第２基板の前記突起は前記シールド部材の前記延長部の前記ホールに配置されてグラウンドされる、請求項１８に記載のカメラモジュール。
【請求項２０】
レンズを含むフロントボディーアセンブリーと、
前記フロントボディーアセンブリーと結合するリアボディーと、
前記フロントボディーアセンブリーと前記リアボディーとの間の内部空間に配置される第１基板と、
前記内部空間に前記第１基板と離隔するように配置されて前記第１基板に電気的に連結される第２基板と、
前記リアボディーと前記第２基板に固定されるコネクターと、
前記リアボディー内に固定されるカバーと、を含み、
前記カバーは、前記コネクターが配置されるホールを含む底板と、前記底板に延びる側板と、前記底板に配置されて前記コネクターを弾性的に支持する加圧ユニットを含み、
前記加圧ユニットは、前記コネクターを第１方向に加圧する第１加圧部と、前記コネクターを前記第１方向と異なる第２方向に加圧する第２加圧部を含む、カメラモジュール。
【国際調査報告】
2020525840.tif 000025
2020525840.tif 000026
2020525840.tif 000027
2020525840.tif 000028